(57)【要約】【課題】短時間で室内の加湿暖房を行うと共に、加湿暖房された室内を発汗効果が体感できる状態で維持する加湿空調システムを提供する。【解決手段】加湿空調システム１Ａは、霧状のミストＭと蒸気Ｖを浴室１０１に吹き出す加湿装置２と、浴室１０１の暖房等を行う浴室空調装置３Ａとを備え、加湿暖房運転モードでは、加湿装置２でミストＭを噴出しながら浴室空調装置３Ａで循環風により温風ＨＡを吹き出して、浴室１０１の加湿暖房を行った後、加湿装置２で蒸気Ｖを吹き出すと共に、浴室空調装置３Ａでの暖房運転を停止して、浴室１０１内を発汗効果が得られるような高湿の状態に維持すると共に、静音化を図る。【選択図】        図１
2008164244.tif 000002
【特許請求の範囲】
【請求項１】
室内を暖房する加熱手段を有した空調装置と、
水加熱手段により水を加熱して発生させた蒸気を送風手段で送風して吹き出す蒸気加湿手段、及びミストを噴出するミスト噴出手段とを有した加湿装置と
を備えたことを特徴とする加湿空調システム。
【請求項２】
前記加湿装置でミストを噴出する運転と蒸気を吹き出す運転との切り換えと、前記空調装置で室内を暖房する暖房運転の実行の有無とを連動させる制御を行う制御手段を備えた
ことを特徴とする請求項１記載の加湿空調システム。
【請求項３】
前記制御手段は、前記空調装置の暖房運転と前記加湿装置でミストを噴出する運転とを連動させて、室内の加湿暖房を行うと共に、前記加湿装置でミストを噴出する運転から蒸気を吹き出す運転に切り換えると、前記空調装置の暖房運転を停止する制御を行う
ことを特徴とする請求項２記載の加湿空調システム。
【請求項４】
前記制御手段は、前記空調装置で暖房運転を行って、室内を暖房した後、前記加湿装置でミストを噴出する運転を連動させて、室内の加湿暖房を行うと共に、前記加湿装置でミストを噴出する運転から蒸気を吹き出す運転に切り換えると、前記空調装置の暖房運転を停止する制御を行う
ことを特徴とする請求項２記載の加湿空調システム。
【請求項５】
室内の温度を検知する温度検知手段を備え、
前記制御手段は、前記温度検知手段で検知された室内の温度が設定温度より低く、前記温度検知手段で検知された室内の温度と設定温度との温度差が所定の暖房運転切換温度差より大きいと、前記加湿装置で蒸気を吹き出す運転を停止して、前記空調装置での暖房運転に切り換えると共に、
前記温度検知手段で検知された室内の温度と設定温度との温度差が所定の暖房運転切換温度差以下であると、温度差に応じて前記加湿装置での蒸気の出力を制御する
ことを特徴とする請求項３または４記載の加湿空調システム。
【請求項６】
前記制御手段は、前記温度検知手段で検知された室内の温度が設定温度より高く、前記温度検知手段で検知された室内の温度と設定温度との温度差が所定の暖房運転切換温度差より大きいと、前記加湿装置で蒸気を吹き出す運転を停止する
ことを特徴とする請求項５記載の加湿空調システム。
【請求項７】
前記加湿装置でミストを噴出する運転と蒸気を吹き出す運転を切り換える操作を受ける運転切換操作手段を有した操作部を備えた
ことを特徴とする請求項２〜６に何れか記載の加湿空調システム。
【請求項８】
前記操作部は、室内の設定温度を切り換える操作を受ける温度設定手段を有した
ことを特徴とする請求項７記載の加湿空調システム。
【請求項９】
前記蒸気加湿手段は、前記水加熱手段が水槽の内部で水面の近くに配置され、前記水槽の上層側で加熱による対流を発生させる
ことを特徴とする請求項１〜８に何れか記載の加湿空調システム。
【請求項１０】
前記蒸気加湿手段は、前記水加熱手段の出力に応じた給水量で連続して水槽に給水を行うようにした
ことを特徴とする請求項１〜８に何れか記載の加湿空調システム。
【発明の詳細な説明】
【技術分野】
【０００１】
本発明は、浴室やシャワー室等の室内の加湿暖房を行う加湿空調システムに関する。
【背景技術】
【０００２】
従来より、湯水をミストとして浴室内に吹き出し、浴室の加湿暖房を行うミスト装置が提案されている（例えば、特許文献１参照）。
【０００３】
このようなミスト装置は、単数もしくは複数のミストノズルを浴室の壁面等に設置して、給湯器から供給された温水をミストにして浴室内に吹き出す構成である。
【０００４】
しかし、ミストのみで浴室を暖める場合、温度が十分に上がらないという問題があった。
【０００５】
そこで、暖房機による温風の吹き出しと併用してミストを吹き出すことで、短時間で浴室の温度を上げられるようにしたミスト装置が提案されている（例えば、特許文献２参照）。
【０００６】
また、加湿装置としては、超音波振動子により水を振動させ、微細化した水滴を発生させて空気を加湿する超音波加湿器や、水をファンで粉砕して微細化する加湿器、更には、ヒータで水を加熱して蒸気を発生させて空気を加湿するヒータ式の加湿器も提案されている。
【０００７】
【特許文献１】特公平６−５９３０１号公報
【特許文献２】特開２００２−６１８６０号公報
【発明の開示】
【発明が解決しようとする課題】
【０００８】
ミストノズルを利用したミスト装置では、霧状のミストが多量に噴霧されるので、湿度を急上昇させることができる。しかし、入浴者が多量のミストを体に浴びることで体が濡れてしまい、発汗効果を入浴者が目に見えて感じられない虞がある。
【０００９】
これに対して、より微細なミストを噴出するミストノズルを備えたミスト装置や超音波加湿器、または、ファン粉砕を利用した加湿器を利用すれば、ミストでは入浴者の体が濡れにくくなって、入浴者が発汗効果を感じることができるようになる。
【００１０】
しかし、微細なミストを噴出するミストノズルでは、流量が少ないので、ミストノズルに湯を供給する給湯器側の温度制御が行えず、水によるミストの噴出となる。超音波加湿器やファン粉砕を利用した加湿器でも、冷えた加湿空気が浴室に吹き出される。
【００１１】
これにより、浴室の温度低下を防ぐために、入浴中でも暖房機による温風の吹き出しを継続する必要があるが、加湿器と暖房機を同時に駆動することで、浴室内での騒音が大きくなる虞があった。
【００１２】
更に、ヒータで水を加熱して蒸気を発生させて空気を加湿するヒータ式の加湿器では、暖かい蒸気が吹き出されるため、浴室の温度低下を防ぐことはできる。しかし、従来、浴室に備えられた暖房機である浴室空調装置で室内の温度について制御を行っていたので、暖房機の併用を停止すると、加湿に伴う浴室内の温度上昇や温度低下が発生する虞があった。
【００１３】
本発明は、このような課題を解決するためになされたもので、短時間で室内の加湿暖房を行うと共に、加湿暖房された室内を発汗効果が体感できる状態で維持する加湿空調システムを提供することを目的とする。
【課題を解決するための手段】
【００１４】
上述した課題を解決するため、本発明の加湿空調システムは、室内を暖房する加熱手段を有した空調装置と、水加熱手段により水を加熱して発生させた蒸気を送風手段で送風して吹き出す蒸気加湿手段、及びミストを噴出するミスト噴出手段とを有した加湿装置とを備えたことを特徴とする。
【００１５】
本発明の加湿空調システムでは、加湿装置でミストを噴出すると共に、空調装置で暖房運転を実行して、室内の加湿暖房が行われる。加湿暖房に伴って室内が所定の高湿な状態となると、加湿装置ではミストを噴出する運転を、蒸気を吹き出す運転に切り換えると共に、空調装置での暖房運転を停止する。
【００１６】
このように、加湿装置でミストを噴出する運転と蒸気を吹き出す運転との切り換えと、空調装置で室内を暖房する暖房運転の実行の有無とを連動させて、室内の加湿暖房及び加湿暖房された室内の状態を維持する制御が行われる。
【発明の効果】
【００１７】
本発明の加湿空調システムによれば、室内を加湿暖房する際は、加湿装置でのミストの噴出と空調装置での暖房運転を連動させることができるで、短時間で室内の加湿暖房を行うことができる。
【００１８】
また、室内が所定の高湿の状態になると、加湿装置で蒸気を吹き出すことで、空調装置での暖房運転を停止して、加湿暖房された室内を所定の高湿な状態で維持することができる。
【００１９】
このように、加湿装置で蒸気を吹き出す運転中は、空調装置での暖房運転を停止することで、静音化を図ることができる。
【００２０】
また、加湿装置で蒸気を吹き出す運転中は、加湿暖房された室内の状態を維持する制御を行うことで、加湿に伴う室内の温度上昇や温度低下を抑えることができる。
【発明を実施するための最良の形態】
【００２１】
以下、図面を参照して本発明の加湿空調システムの実施の形態について説明する。
【００２２】
＜本実施の形態の加湿空調システムの構成例＞
（１−１）加湿空調システムの全体構成例
図１は、本実施の形態の加湿空調システムの一例を示す全体構成図である。本実施の形態の加湿空調システム１Ａは、ミストＭと蒸気Ｖを浴室１０１に吹き出す加湿装置２と、浴室１０１の暖房等を行う浴室空調装置３Ａと、加湿装置２等に供給される湯ＨＷを生成する給湯装置４とを備える。
【００２３】
加湿空調システム１Ａは、浴室１０１に隣接した洗面脱衣所１０２に設置された主操作部５Ａと、浴室１０１に設置された副操作部６Ａで、入浴者等の操作を受ける。また、加湿空調システム１Ａは、浴室空調装置３Ａに備えられた主制御部７Ａと、ミスト発生装置２に備えられた副制御部８Ａに制御され、主操作部５Ａまたは副操作部６Ａで選択された運転モードが実行される。
【００２４】
すなわち、加湿空調システム１Ａでは、主操作部５Ａまたは副操作部６Ａの所定の操作で、加湿装置２によるミストＭと蒸気Ｖの吹き出しの切り換えと、浴室空調装置３Ａによる暖房運転とを連動させて、浴室１０１の加湿暖房を行う加湿暖房運転モードが実行される。
【００２５】
そして、加湿空調システム１Ａは、加湿暖房運転モードでは、加湿暖房の運転開始時は、加湿装置２でミストＭを噴出しながら浴室空調装置３Ａで循環風により温風ＨＡを吹き出して、浴室１０１内を短時間で所望のミスト状態にした後、加湿装置２でミストＭに換えて蒸気Ｖを吹き出して、浴室１０１内を発汗効果が得られるような所望のミスト状態に維持する制御を行う。
【００２６】
また、加湿装置２で蒸気Ｖを吹き出している間は、浴室空調装置３Ａによる温風ＨＡの吹き出しは停止して、加湿暖房時の消費電力を抑える。
【００２７】
更に、浴室１０１の室温の設定に応じて、加湿装置２と浴室空調装置３Ａの運転を切り替える。
【００２８】
尚、加湿空調システム１Ａでは、加湿暖房運転モード以外の運転モードとして、主操作部５Ａまたは副操作部６Ａの操作で、浴室空調装置３Ａで循環風により温風ＨＡを吹き出して、浴室空調装置３Ａ単体で浴室１０１の暖房を行う暖房運転モードが実行される。
【００２９】
更に、加湿空調システム１Ａでは、主操作部５Ａの操作で、浴室空調装置３Ａで浴室１０１内の空気を屋外に排出して、浴室１０１の換気を行う換気運転モードと、所定時間で図示しない建物の空気が入れ替えられる風量で換気を行う２４時間換気運転モードが実行される。
【００３０】
また、浴室空調装置３Ａで循環風により温風ＨＡを吹き出しながら、浴室１０１内の空気を屋外に排出して、浴室１０１に干された衣類等の乾燥を行う乾燥運転モードが実行される。更に、浴室空調装置３Ａで循環風により送風を吹き出す涼風運転モードが実行される。
【００３１】
（１−２）加湿空調システムを構成する加湿装置の構成例
図２は、本実施の形態の加湿空調システムを構成する第１の実施の形態の加湿装置の一例を示す構成図である。
【００３２】
第１の実施の形態の加湿装置２Ａは、蒸気Ｖを発生させる加湿部２０Ｈと、浴室１０１から吸い込んだ空気ＲＡを循環させて蒸気Ｖを送風して吹き出させる送風ファン部２１と、湯または水の供給を受けて、ミストＭを噴出するミストノズル２０Ｍとを備える。
【００３３】
加湿部２０Ｈは蒸気加湿手段の一例で、本例では湯ＨＷを貯める水槽２２Ａと、水槽２２Ａに貯水された湯ＨＷを加熱して蒸気Ｖを発生させる水加熱手段としてのヒータ２３Ｈと、送風ファン部２１で循環させる空気が通る風路を形成し、ヒータ２３Ｈの動作で発生させた蒸気Ｖが送風される加湿風路２４とを備える。
【００３４】
水槽２２Ａは、加湿風路２４に面して上部に開口を有すると共に、内部にヒータ２３Ｈを備え、水槽２２Ａに貯水された湯ＨＷをヒータ２３Ｈで加熱することで蒸気Ｖを発生させて、水槽２２Ａの上部の加湿風路２４へ拡散させる。
【００３５】
送風ファン部２１は送風手段の一例で、ファンモータ２５ａに回転駆動される多翼のファン２５と、風路を形成するファンケース２６を備える。ファンケース２６は、ファン２５が回転駆動されると、ファン２５の軸方向に形成されたファン吸込口２６ａから空気を吸い込み、加湿風路２４に吹き出す風路を形成する。
【００３６】
これにより、ファン２５が回転駆動されると、ファン吸込口２６ａから吸い込まれた空気が加湿風路２４に吹き出され、水槽２２Ａに貯水された湯ＨＷをヒータ２３Ｈで加熱することで発生させた蒸気Ｖを送風する。
【００３７】
ここで、ヒータ２３Ｈの通電電圧制御、ヒータ２３Ｈの通電率制御、ヒータ２３Ｈの通電時間の制御、ヒータ２３Ｈを複数備えた構成では通電本数の制御等によって、蒸気Ｖの温度が制御される。
【００３８】
ミストノズル２０Ｍはミスト噴出手段の一例で、湯水の供給を受けると、微細化された水滴によるミストＭが噴出される。ここで、ミストノズル２０Ｍから噴出させるミストＭとは、霧や靄、更にはシャワー等の状態を含む。
【００３９】
加湿装置２Ａは、ミストノズル２０Ｍと水槽２２Ａに給湯（給水）を行う給水機構２２ｓと、水槽２２Ａの排水を行う排水機構２２ｅと、水槽２２Ａ内の水位を検出する水位センサ２２ｗを備える。
【００４０】
給水機構２２ｓは、給水配管２２ｓｐが図１に示す給湯装置４と接続され、分岐した一方の給水配管２２ｓｐが、例えば水槽２２Ａの上部に備えられた給水口２２ｓｗと接続されると共に、分岐した他方の給水配管２２ｓｐが、ミストノズル２０Ｍと接続される。
【００４１】
また、給水機構２２ｓは、給水口２２ｓｗと接続された一方の給水配管２２ｓｐに、水槽２２Ａへの湯ＨＷの供給の有無を切り換える給水バルブ２２ｓｂを備えると共に、ミストノズル２０Ｍと接続された他方の給水配管２２ｓｐに、ミストノズル２０Ｍへの湯ＨＷの供給の有無を切り換える給水バルブ２２ｍｂを備える。
【００４２】
なお、給水機構２２ｓは、給水口２２ｓｗへの配管を図示しない上水管と接続して、ミストノズル２０Ｍとは別の給水配管を備える構成としても良い。
【００４３】
排水機構２２ｅは、水槽２２Ａの底面に備えられた排水口２２ｅｗに排水配管２２ｅｐが接続され、排水配管２２ｅｐが浴室１０１の図示しない排水管と接続される。また、排水機構２２ｅは、排水配管２２ｅｐに排水ＥＷの排出の有無を切り換える排水バルブ２２ｅｂを備える。
【００４４】
更に、水位センサ２２ｗは、水槽２２Ａ内にフロートを備え、フロートの位置で水位を検出する。
【００４５】
加湿装置２Ａは、下面にフロントパネル２７を備える。フロントパネル２７は、送風ファン部２１のファン吸込口２６ａとつながる吸込グリル２７ａと、加湿風路２４とつながる吹出グリル２７ｂを備えると共に、ミストノズル２０Ｍを露出させる開口部を備える。
【００４６】
これにより、加湿装置２Ａは、加湿部２０Ｈと送風ファン部２１が駆動されると、吸込グリル２７ａから空気ＲＡが吸い込まれ、加湿風路２４に発生させた蒸気Ｖが吸込グリル２７ａから吸い込まれた空気で送風されて、吹出グリル２７ｂから吹き出される。
【００４７】
（１−３）加湿空調システムを構成する浴室空調装置の構成例
図３は、本実施の形態の加湿空調システムを構成する浴室空調装置の一例を示す構成図である。
【００４８】
浴室空調装置３Ａは空調装置の一例で、浴室暖房換気乾燥装置等と称され、図１に示す浴室１０１から空気ＲＡを吸い込んで吹き出すファン部３０と、ファン部３０から吹き出される空気を浴室１０１に吹き出すか、排気するかを切り替える風路切換部３１と、浴室１０１へ吹き出す空気を加熱するヒータ３２とを備える。
【００４９】
ファン部３０は循環送風手段の一例で、回転駆動される多翼のファン３３と、ファン３３を回転駆動するファンモータ３３ａと、風路を形成するファンケース３４を備える。
【００５０】
浴室空調装置３Ａは、ファン３３の軸方向に沿ったファンケース３４の下面にファン吸込口３４ａを備え、ファンケース３４は、ファン３３が回転駆動されることでファン吸込口３４ａから吸い込んだ空気を、ファン３３の接線方向に吹き出す風路を形成する。
【００５１】
風路切換部３１は、風路を切り換えるダンパ３５を備える。ダンパ３５は、後述するダンパモータの駆動力がカム３５ａを介して伝達され、軸３５ｂを支点に回転して開閉動作を行う。
【００５２】
浴室空調装置３Ａは、風路切換部３１の下方に吹出口３６ａを備えると共に、風路切換部３１の側方に排気口３６ｂを備え、ダンパ３５を図３（ａ）に示す循環位置とすると、排気口３６ｂへの風路が遮断され、ファン吸込口３４ａから吹出口３６ａへ連通した循環風路３１ａが形成される。
【００５３】
また、ダンパ３５を図３（ｂ）に示す換気位置とすると、吹出口３６ａへの風路が遮断され、ファン吸込口３４ａから排気口３６ｂへ連通した換気風路３１ｂが形成される。
【００５４】
更に、ダンパ３５を図３（ｃ）に示す分流位置とすると、ファン吸込口３４ａから吹出口３６ａへ連通した循環風路３１ａと、ファン吸込口３４ａから排気口３６ｂへ連通した換気風路３１ｂの双方が形成される。
【００５５】
ヒータ３２は加熱手段の一例で、吹出口３６ａにＰＴＣヒータ等の電気ヒータを備えて構成される。なお、吹出口３６ａに、風向を切り換える電動の吹出ルーバを備える構成としても良い。
【００５６】
浴室空調装置３Ａは、下面にフロントパネル３７を備える。フロントパネル３７は、ファン吸込口３４ａとつながる吸込グリル３７ａを備えると共に、吹出口３６ａとつながる吹出グリル３７ｂを備える。また、フロントパネル３７は、吸込グリル３７ａの裏側に図示しないフィルタが交換可能に取り付けられる。
【００５７】
また、浴室空調装置３Ａは、ファン吸込口３４ａに温度検知センサ３８ａを備える。温度検知センサ３８ａは温度検知手段の一例で、フロントパネル３７の吸込グリル３７ａからファン吸込口３４ａに吸い込まれる空気の温度を検知することで、図１に示す浴室１０１の温度が検出される。
【００５８】
浴室空調装置３Ａは、図１に示す浴室１０１の天井パネルに開口を形成して設置され、フロントパネル３７が浴室１０１に面して取り付けられる。また、浴室空調装置３Ａは、排気口３６ｂに排気ダクトジョイント３９が取り付けられ、排気ダクトジョイント３９に排気ダクト１０３が接続される。
【００５９】
排気ダクト１０３は、図示しない建物の外壁１０４に取り付けた屋外グリル１０３ａに接続され、浴室空調装置３Ａで浴室１０１等から吸い込んだ空気を、排気ダクト１０３を介して屋外に排気できる構成となっている。
【００６０】
上述した構成の浴室空調装置３Ａでは、ファンモータ３３ａによりファン３３が回転駆動されると、フロントパネル３７の吸込グリル３７ａからファン吸込口３４ａに空気ＲＡが吸い込まれる。
【００６１】
ダンパ３５の位置が図３（ａ）に示す循環位置であると、ファン吸込口３４ａから吹出口３６ａへの循環風路３１ａが形成されるので、吸込グリル３７ａから吸い込まれた空気ＲＡは、循環風路３１ａを通ってフロントパネル３７の吹出グリル３７ｂから吹き出される。
【００６２】
ヒータ３２は、循環風路３１ａの吹出口３６ａに配置されるので、ヒータ３２が通電されることで、循環風路３１ａを通る空気が温められて、温風ＨＡが吹出グリル３７ｂから吹き出す。
【００６３】
これにより、加湿暖房運転モード及び暖房運転モードでは、ダンパ３５を循環位置に移動させて、ファン部３０を駆動すると共に、ヒータ３２に通電することで、図１に示す浴室１０１の空気を循環させながら、浴室１０１内に温風ＨＡが吹き出される。
【００６４】
また、涼風運転モードでは、ダンパ３５を循環位置に移動させて、ヒータ３２に通電せずにファン部３０を駆動することで、図１に示す浴室１０１の空気を循環させながら、浴室１０１内に室温に応じた送風が吹き出される。
【００６５】
ダンパ３５の位置が図３（ｂ）に示す換気位置であると、ファン吸込口３４ａから排気口３６ｂへの換気風路３１ｂが形成されるので、フロントパネル３７の吸込グリル３７ａから吸い込まれた空気は、換気風路３１ｂを通って排気口３６ｂから排気される。
【００６６】
これにより、換気運転モードでは、ダンパ３５を換気位置に移動させて、ファン部３０を駆動することで、浴室１０１内の湯気や湿気が排気される。
【００６７】
ダンパ３５の位置が図３（ｃ）に示す分流位置であると、ファン吸込口３４ａから吹出口３６ａへの循環風路３１ａと、ファン吸込口３４ａから排気口３６ｂへの換気風路３１ｂの双方が形成されるので、フロントパネル３７の吸込グリル３７ａから吸い込まれた空気は、一部は循環風路３１ａを通って吹出グリル３７ｂから浴室１０１内に吹き出される。
【００６８】
また、吸込グリル３７ａから吸い込まれた空気の残部は、換気風路３１ｂを通って排気口３６ｂから排気される。
【００６９】
これにより、乾燥運転モードでは、ダンパ３５を分流位置に移動させて、ファン部３０を駆動すると共に、ヒータ３２に通電することで、図１に示す浴室１０１の空気の一部を循環させて浴室１０１内に温風ＨＡを吹き出しながら、浴室１０１内の湯気や湿気が排気される。
【００７０】
なお、涼風運転モードとして、ダンパ３５を分流位置に移動させ、ヒータ３２に通電せずにファン部３０を駆動することで、図１に示す浴室１０１の空気の一部を循環させて浴室１０１内に室温に応じた送風を吹き出しながら、浴室１０１内の湯気や湿気が排気されるようにしても良い。
【００７１】
また、浴室空調装置としては、循環ファン部と換気ファン部を別に備えて循環風路と換気風路が独立した構成等でも良い。
【００７２】
（１−４）加湿空調システムを構成する給湯装置の構成例
図４は、本実施の形態の加湿空調システムを構成する給湯装置の一例を示す構成図である。
【００７３】
給湯装置４は、例えば自然冷媒（ＣＯ2）を利用したヒートポンプ方式の給湯手段の一例で、大気と冷媒との間の熱交換及び冷媒と水との間の熱交換で温水を生成するヒートポンプユニット４０と、ヒートポンプユニット４０で生成された温水を貯水する貯湯タンクユニット４１を備える。
【００７４】
ヒートポンプユニット４０は、大気と冷媒との間で熱交換を行って、冷媒の温度を上昇させる空気熱交換器４０ａと、冷媒と水との間で熱交換を行って、水の温度を上昇させる水熱交換器４０ｂを備える。
【００７５】
また、ヒートポンプユニット４０は、空気熱交換器４０ａに大気を供給するファン４０ｃと、空気熱交換器４０ａと水熱交換器４０ｂとの間を接続して、空気熱交換器４０ａと水熱交換器４０ｂとの間で冷媒を循環させる冷媒配管４０ｄを備える。
【００７６】
更に、ヒートポンプユニット４０は、空気熱交換器４０ａと水熱交換器４０ｂの間で空気熱交換器４０ａの下流側に、空気熱交換器４０ａで熱交換されて冷媒配管４０ｄを流れる冷媒を圧縮して、温度を更に上昇させる圧縮機４０ｅを備える。また、ヒートポンプユニット４０は、空気熱交換器４０ａと水熱交換器４０ｂの間で水熱交換器４０ｂの下流側に、水熱交換器４０ｂで熱交換されて冷媒配管４０ｄを流れる冷媒を膨張させて、温度を低下させる膨張弁４０ｆを備える。
【００７７】
貯湯タンクユニット４１は、ヒートポンプユニット４０で生成された温水を貯水するタンク４２を備える。タンク４２は、下部側に水が供給されると共に、上部側に温水が供給されて、下部側に比べて上部側の温度が高くなる層化した状態で温水を貯水する。
【００７８】
ヒートポンプユニット４０と貯湯タンクユニット４１は、水熱交換器４０ｂとタンク４２の間が温水配管４３ａ及び冷水配管４３ｂで接続され、冷水配管４３ｂにポンプ４３ｃを備える。
【００７９】
温水配管４３ａは、水熱交換器４０ｂの流出側と、タンク４２の上部側に設けられる流入口４２ａとの間を接続する。また、冷水配管４３ｂは、水熱交換器４０ｂの流入側と、タンク４２の下部側に設けられる流出口４２ｂの間を接続する。
【００８０】
ポンプ４３ｃは、冷水配管４３ｂを介してタンク４２の流出口４２ｂから水を吸い込んで水熱交換器４０ｂに供給し、水熱交換器４０ｂを通過して生成された温水を、温水配管４３ａを介して流入口４２ａからタンク４２に供給する。
【００８１】
また、貯湯タンクユニット４１は、タンク４２に貯水された温水を取水する取水配管４４と、タンク４２に給水を行う給水配管４５が、タンク４２に接続される。
【００８２】
取水配管４４は、流入口４２ａと独立してタンク４２の上部に設けられる高温部取水口４２ｃと接続される高温部取水配管４４ａと、高温部取水口４２ｃより下側に設けられる中温部取水口４２ｄに接続される中温部取水配管４４ｂを備える。
【００８３】
また、取水配管４４は、高温部取水配管４４ａと中温部取水配管４４ｂの合流箇所に切換弁４４ｃを備え、タンク４２における取水元が、高温部取水口４２ｃか中温部取水口４２ｄに切り替えられる。
【００８４】
給水配管４５は、流出口４２ｂと独立してタンク４２の下部に設けられる給水口４２ｅと接続される。
【００８５】
更に、貯湯タンクユニット４１は、取水配管４４から供給される温水と、分岐給水配管４５ａから供給される水を混合させる給湯混合弁４６を備える。給湯混合弁４６は、取水配管４４と分岐給水配管４５ａの合流箇所に備えられ、取水配管４４から供給される温水と、分岐給水配管４５ａから供給される水の混合比を切り替えて、給湯配管４７から供給される温水の温度を調整する。
【００８６】
給湯配管４７は、図２に示す加湿装置２の給水配管２２ｅｐ、図１に示す浴室１０１の蛇口やシャワー１０１ａ、洗面脱衣所１０２の蛇口１０２ａ及び台所１０５の図示しない蛇口等と接続され、温水を供給する。
【００８７】
上述した構成の給湯装置４では、貯湯タンクユニット４１のタンク４２に、給水配管４５から水が供給される。タンク４２に供給された水は、冷水配管４３ｂによりヒートポンプユニット４０の水熱交換器４０ｂに供給される。
【００８８】
ヒートポンプユニット４０では、ファン４０ｃにより空気熱交換器４０ａに大気が供給され、冷媒配管４０ｄを流れる冷媒との間で熱交換が行われ、冷媒の温度が上昇する。空気熱交換器４０ａで熱交換が行われた冷媒は、圧縮機４０ｅで圧縮されることで、温度が更に上昇する。
【００８９】
そして、圧縮機４０ｅで圧縮されて温度を上昇させた冷媒は、水熱交換器４０ｂに供給される。これにより、水熱交換器４０ｂにおいては、大気との熱交換及び圧縮により温度を上昇させた冷媒と、貯湯タンクユニット４１から供給された水との間で熱交換が行われ、温水が生成される。
【００９０】
水熱交換器４０ｂで熱交換された冷媒は、膨張弁４０ｆで膨張させて温度を低下させ、再度空気熱交換器４０ａに供給される。
【００９１】
また、水熱交換器４０ｂで熱交換されて生成された温水は、温水配管４３ａによりタンク４２に戻される。これにより、タンク４２は、上部側が温度が高く、下部側が温度の低い層化した状態で温水と水が貯水される。
【００９２】
タンク４２に貯水された温水は、取水配管４４により取水される。ここで、供給する温水の温度が高い場合は、切替弁４４ｃにより高温部取水配管４４ａから温水を取水し、供給する温水の温度が低い場合は、中温部取水配管４４ｂから温水を取水する。
【００９３】
取水配管４４により取水された温水は、分岐給水配管４５ｂから供給される水と給湯混合弁４６で混合される。給湯混合弁４６で温水と水の混合比を切り替えることで、給湯配管４７から供給される温水の温度が調整される。そして、給湯配管４７から供給される温水は、加湿装置２、浴室１０１、洗面脱衣所１０２及び台所１０５等に分配される。
【００９４】
なお、給湯装置４は、自然冷媒を利用したヒートポンプ方式でない電気温水器や、ガス給湯器、他の熱源を利用した給湯器でも良い。
【００９５】
（１−５）加湿空調システムの制御機能例
図５は、本実施の形態の加湿空調システムの制御系の一例を示す機能ブロック図である。
【００９６】
加湿空調システム１Ａは、浴室空調装置３Ａに備えられた主制御部７Ａに、図３で説明した浴室空調装置３Ａのヒータ３２と、ファン部３０のファン３３を駆動するファンモータ３３ａと、ダンパ３５を駆動するダンパモータ３５ｃと、温度検知センサ３８ａ等が接続される。
【００９７】
また、加湿空調システム１Ａは、加湿装置２Ａに備えられた副制御部８Ａに、図２で説明したヒータ２３Ｈと、ファンモータ２５ａと、給水バルブ２２ｓｂ，２２ｍｂと、排水バルブ２２ｅｂと、水位センサ２２ｗ等が接続される。
【００９８】
更に、主制御部７Ａに主操作部５Ａが接続され、副制御部８Ａに副操作部６Ａが接続されると共に、主制御部７Ａに副制御部８Ａが接続される。
【００９９】
主制御部７Ａ及び副制御部８Ａは制御手段の一例で、それぞれ図示しないＣＰＵやメモリ等を備え、主操作部５Ａ及び副操作部６Ａでの操作と、予め記憶されているプログラムに従って、浴室空調装置３Ａと加湿装置２Ａが制御される。
【０１００】
すなわち、主制御部７Ａと副制御部８Ａは、主操作部５Ａまたは副操作部６Ａでの所定の操作に従って通信を行い、加湿装置２Ａのヒータ２３Ｈ及びファンモータ２５ａと各給排水バルブを制御すると共に、浴室空調装置３Ａのヒータ３２、ファンモータ３３ａ及びダンパモータ３５ｃを制御して、図１に示す浴室１０１の加湿暖房を行う加湿暖房運転モードを実行する。
【０１０１】
また、主制御部７Ａは、浴室空調装置３Ａ単体の動作として、主操作部５Ａでの所定の操作に従って浴室空調装置３Ａのヒータ３２、ファンモータ３３ａ及びダンパモータ３５ｃを制御して、暖房運転モード、換気運転モード、乾燥運転モード、涼風運転モードまたは２４時間換気運転モードを選択的に実行する。
【０１０２】
（１−６）加湿空調システムの副操作部の構成例
図６は、本実施の形態の加湿空調システムで浴室に設置される副操作部の一例を示す構成図である。
【０１０３】
副操作部６Ａは操作部の一例で、図１に示す浴室１０１の壁面に設置され、加湿暖房運転モードでミストＭを噴出させるミストボタン６０Ｍと、蒸気Ｖを吹き出させるスチームボタン６０Ｖを備える。ミストボタン６０Ｍとスチームボタン６０Ｖは運転切換操作手段の一例で、加湿装置２ＡでミストＭを噴出する運転と蒸気Ｖを吹き出す運転を切り換える操作を受ける。
【０１０４】
また、副操作部６Ａは、浴室１０１内の温度が設定される設定ボタン６１と、設定ボタン６１で選択された設定温度を入浴者等に通知する温度表示ランプ６２を備える。
【０１０５】
設定ボタン６１は温度設定手段の一例で、浴室１０１内の設定温度を切り換える操作を受ける。ここで、図６では、例えば温度設定が７段階に切換可能な構成として、７個の温度表示ランプ６２を備えており、選択された温度に応じた温度表示ランプ６２が点灯する。なお、設定可能な温度は７段階に限るものではない。更に、副操作部６Ａには、加湿暖房運転モードを停止させる停止ボタン６３を備えている。
【０１０６】
このような副操作部６Ａを浴室１０１に設置することで、入浴者が入浴中にミストＭと蒸気Ｖの吹き出しを切り換えたり、浴室１０１内の温度を変更できるようになっている。
【０１０７】
＜本実施の形態の加湿空調システムの動作例＞
図７及び図８は、本実施の形態の加湿空調システムで実行される加湿暖房運転モードの第１の動作例を示すフローチャートで、次に、各図を参照して、ミストＭの噴出と蒸気Ｖの吹き出しを手動で切り換える加湿暖房運転モードの動作について説明する。
【０１０８】
ステップＳＡ１：入浴者等は、浴室１０１を加湿暖房するため、洗面脱衣所１０２に設置された主操作部５Ａの所定の操作ボタン５０を操作して、加湿暖房運転モードを選択する。
【０１０９】
ステップＳＡ２：入浴者等は、主操作部５Ａの設定ボタン５１を操作して、浴室１０１内の温度設定を行う。なお、温度設定の操作が行われない場合は、前回運転時の設定温度を利用する。
【０１１０】
ステップＳＡ３：加湿暖房運転モードが選択されると、主制御部７Ａは、浴室空調装置３Ａのダンパモータ３５ｃを駆動してダンパ３５を図３（ａ）に示す循環位置に移動させ、ファンモータ３３ａを駆動してファン３３を回転させると共に、ヒータ３２に通電する。
【０１１１】
これにより、浴室空調装置３Ａでは、フロントパネル３７の吸込グリル３７ａから浴室１０１内の空気ＲＡが吸い込まれ、温風ＨＡが吹出グリル３７ｂから吹き出されて、浴室１０１内が暖房される。
【０１１２】
ステップＳＡ４：主制御部７Ａは、浴室空調装置３Ａで暖房運転を行って、浴室１０１の暖房を開始すると、温度検知センサ３８ａで浴室１０１の温度を検知する。
【０１１３】
ステップＳＡ５：主制御部７Ａは、温度検知センサ３８ａで検知された浴室１０１の温度が、所定のミスト噴出適合室温、本例では３０℃になったか否か判断する。
【０１１４】
ステップＳＡ６：主制御部７Ａは、温度検知センサ３８ａで検知された浴室１０１の温度が、所定のミスト噴出適合室温になると、浴室空調装置３Ａでの暖房運転を継続すると共に、ミストＭを噴出させる指示を副制御部８Ａに送信する。
【０１１５】
ステップＳＡ７：副制御部８Ａは、ミストＭを噴出する指示を主制御部７Ａから受信すると、加湿装置２Ａの給水バルブ２２ｍｂを開く。これにより、給湯装置４からミストノズル２０Ｍに湯ＨＷが供給され、加湿装置２Ａは、ミストノズル２０ＭからミストＭが噴出される。
【０１１６】
このように、加湿暖房運転モードでは、まず、浴室空調装置３Ａで温風ＨＡを吹き出して、浴室１０１の暖房を開始した後、温度検知センサ３８ａで検知された浴室１０１の温度が所定のミスト噴出適合室温に上昇してから、ミストＭの噴出を開始する制御を行うことで、浴室１０１の温度を短時間で上げることができる。
【０１１７】
また、加湿装置２Ａでミストノズル２０ＭからミストＭを噴出しながら、浴室空調装置３Ａで温風ＨＡを吹き出すことで、浴室１０１が加湿暖房されて、短時間で所定の高湿な状態となる。
【０１１８】
ステップＳＡ８：主制御部７Ａは、加湿装置２ＡでのミストＭの噴出と、浴室空調装置３Ａでの暖房運転を連動させて、浴室１０１の加湿暖房を開始すると、温度検知センサ３８ａで浴室１０１の温度を検知し、温度検知センサ３８ａで検知された浴室１０１の温度が、設定温度になったか否か判断する。
【０１１９】
ステップＳＡ９：主制御部７Ａは、温度検知センサ３８ａで検知された浴室１０１の温度が、所定の設定温度になると、温度検知センサ３８ａで検知される浴室１０１の温度に応じて浴室空調装置３Ａのヒータ３２を間欠駆動する制御等によって、浴室１０１内の温度を一定の範囲で維持する。
【０１２０】
ステップＳＡ１０：主制御部７Ａは、温度検知センサ３８ａで検知された浴室１０１の温度が、所定の設定温度になると、加湿装置２ＡでのミストＭの噴出を継続する。
【０１２１】
ステップＳＡ１１：入浴者等は、副操作部６Ａのスチームボタン６０Ｖを操作して、蒸気加湿運転を選択する。
【０１２２】
ステップＳＡ１２：主制御部７Ａは、加湿暖房運転モードで蒸気加湿運転が選択されると、ヒータ３２の通電を停止すると共に、ファンモータ３３ａの駆動を停止して、浴室空調装置３Ａによる暖房運転を停止する。
【０１２３】
ステップＳＡ１３：主制御部７Ａは、加湿暖房運転モードで蒸気加湿運転が選択されると、所定の出力で蒸気Ｖを吹き出させる指示を副制御部８Ａに送信する。
【０１２４】
副制御部８Ａは、蒸気Ｖを吹き出す指示を主制御部７Ａから受信すると、加湿部２０Ｈのヒータ２３Ｈを駆動すると共に、送風ファン部２１のファンモータ２５ａを駆動する。
【０１２５】
これにより、水槽２２Ａに貯水された湯ＨＷを加熱して発生させた蒸気Ｖが、ファン２５が回転駆動されることで吸込グリル２７ａから吸い込まれて循環される浴室１０１の空気ＲＡに送風されて、加湿装置２Ａは、吹出グリル２７ｂから蒸気Ｖが吹き出される。
【０１２６】
ステップＳＡ１４：主制御部７Ａは、加湿暖房運転モードで蒸気加湿運転が選択されると、ミストＭの噴出を停止させる指示を副制御部８Ａに送信する。副制御部８Ａは、ミストＭの噴出を停止する指示を主制御部７Ａから受信すると、加湿装置２Ａの給水バルブ２２ｍｂを閉じる。これにより、給湯装置４からミストノズル２０Ｍへの湯ＨＷの供給が停止され、加湿装置２ＡからのミストＭの噴出は停止する。
【０１２７】
ステップＳＡ１５：主制御部７Ａは、加湿装置２ＡでミストＭに換えて蒸気Ｖを吹き出して、蒸気加湿運転を開始すると、温度検知センサ３８ａで浴室１０１の温度を検知する。
【０１２８】
ステップＳＡ１６：主制御部７Ａは、温度検知センサ３８ａで検知された浴室１０１の温度と設定温度の大小を判断する。
【０１２９】
ステップＳＡ１７：主制御部７Ａは、温度検知センサ３８ａで検知された浴室１０１の温度が設定温度より低いと判断すると、温度検知センサ３８ａで検知された浴室１０１の温度と設定温度との温度差が、所定の暖房運転切換温度差であるか判断する。例えば、設定温度との温度差が−１℃以下か否か判断する。
【０１３０】
ステップＳＡ１８：主制御部７Ａは、温度検知センサ３８ａで検知された浴室１０１の温度が設定温度より低く、温度検知センサ３８ａで検知された浴室１０１の温度と設定温度との温度差が、所定の暖房運転切換温度差以下、例えば−１℃以下であると判断すると、温度差に応じて蒸気Ｖの出力を制御する指示を副制御部８Ａに送信する。
【０１３１】
副制御部８Ａは、温度検知センサ３８ａで検知された浴室１０１の温度と設定温度との温度差に応じて蒸気Ｖの出力を制御する指示を主制御部７Ａから受信すると、検知された温度差に応じてヒータ２３Ｈの出力を変更する。
【０１３２】
例えば、ヒータ２３Ｈの出力を最小で１５００Ｗ、最大で３０００Ｗとして、温度差が大きくなるとヒータ２３Ｈの出力を増加し、温度差が少なくなるとヒータ２３Ｈの出力を低下させる制御が行われる。
【０１３３】
ステップＳＡ１９：主制御部７Ａは、入浴者が図６に示す副操作部６Ａの設定ボタン６１を操作することによる、設定温度の変更を受ける。変更された設定温度は、図示しないメモリに記憶され、上述したステップＳＡ１５からの制御で、浴室１０１内の温度を設定温度にする。
【０１３４】
ステップＳＡ２０：主制御部７Ａは、温度検知センサ３８ａで検知された浴室１０１の温度が設定温度より低く、温度検知センサ３８ａで検知された浴室１０１の温度と設定温度との温度差が、所定の暖房運転切換温度差より大きい、例えば温度差が−１℃より大きいと判断すると、蒸気Ｖの吹き出しを停止させる指示を副制御部８Ａに送信する。
【０１３５】
副制御部８Ａは、蒸気Ｖの吹き出しを停止する指示を主制御部７Ａから受信すると、ヒータ２３Ｈの駆動を停止する。これにより、加湿装置２Ａからの蒸気Ｖの吹き出しが停止する。
【０１３６】
ステップＳＡ２１：主制御部７Ａは、温度検知センサ３８ａで検知された浴室１０１の温度が設定温度より低く、温度検知センサ３８ａで検知された浴室１０１の温度と設定温度との温度差が、所定の暖房運転切換温度差より大きいと判断すると、浴室空調装置３Ａのファンモータ３３ａを駆動してファン３３を回転させると共に、ヒータ３２に通電する。
【０１３７】
これにより、浴室空調装置３Ａでは、フロントパネル３７の吸込グリル３７ａから浴室１０１内の空気ＲＡが吸い込まれ、温風ＨＡが吹出グリル３７ｂから吹き出されて、浴室空調装置３Ａによる浴室１０１内の暖房が再開される。
【０１３８】
ステップＳＡ２２：主制御部７Ａは、浴室空調装置３Ａで温風ＨＡを吹き出して、暖房運転を再開すると、温度検知センサ３８ａで浴室１０１の温度を検知する。
【０１３９】
ステップＳＡ２３：主制御部７Ａは、温度検知センサ３８ａで検知された浴室１０１の温度と設定温度との温度差が、所定の暖房運転切換温度差以下であるか判断する。
【０１４０】
ステップＳＡ２４：主制御部７Ａは、温度検知センサ３８ａで検知された浴室１０１の温度と設定温度との温度差が、所定の暖房運転切換温度差以下であると判断すると、上述したステップＳＡ１８の処理へ移行し、温度差に応じて蒸気Ｖの出力を制御する指示を副制御部８Ａに送信する。
【０１４１】
これにより、副制御部８Ａは、所定の出力でヒータ２３Ｈを駆動すると共に、ファンモータ２５ａを駆動することで、加湿装置２Ａでは、浴室１０１の温度に応じた出力で、吹出グリル２７ｂから蒸気Ｖが吹き出される。
【０１４２】
ステップＳＡ２５：主制御部７Ａは、温度検知センサ３８ａで検知された浴室１０１の温度が設定温度より高いと判断すると、温度検知センサ３８ａで検知された浴室１０１の温度と設定温度との温度差が、所定の暖房運転切換温度差であるか判断する。例えば、設定温度との温度差が＋１℃以下か否か判断する。
【０１４３】
ステップＳＡ２６：主制御部７Ａは、温度検知センサ３８ａで検知された浴室１０１の温度が設定温度より高く、温度検知センサ３８ａで検知された浴室１０１の温度と設定温度との温度差が、所定の暖房運転切換温度差以下、例えば＋１℃以下であると判断すると、蒸気Ｖの出力を低下させる指示を副制御部８Ａに送信する。
【０１４４】
副制御部８Ａは、蒸気Ｖの出力を低下させる指示を主制御部７Ａから受信すると、ヒータ２３Ｈの出力を変更する。例えば、ヒータ２３Ｈの出力を１５００Ｗに低下させる制御が行われる。
【０１４５】
ステップＳＡ２７：主制御部７Ａは、温度検知センサ３８ａで検知された浴室１０１の温度が設定温度より高く、温度検知センサ３８ａで検知された浴室１０１の温度と設定温度との温度差が、所定の暖房運転切換温度差より大きい、例えば温度差が＋１℃より大きいと判断すると、蒸気Ｖの吹き出しを停止させる指示を副制御部８Ａに送信する。
【０１４６】
副制御部８Ａは、蒸気Ｖの吹き出しを停止する指示を主制御部７Ａから受信すると、ヒータ２３Ｈの駆動を停止する。これにより、加湿装置２Ａからの蒸気Ｖの吹き出しが停止する。
【０１４７】
ステップＳＡ２８：主制御部７Ａは、加湿装置２Ａからの蒸気Ｖの吹き出しを停止すると、温度検知センサ３８ａで浴室１０１の温度を検知する。
【０１４８】
ステップＳＡ２９：主制御部７Ａは、温度検知センサ３８ａで検知された浴室１０１の温度と設定温度との温度差が、所定の暖房運転切換温度差以下であるか判断する。
【０１４９】
ステップＳＡ３０：主制御部７Ａは、温度検知センサ３８ａで検知された浴室１０１の温度と設定温度との温度差が、所定の暖房運転切換温度差以下であると判断すると、上述したステップＳＡ２６の処理へ移行し、出力を低下させて蒸気Ｖを吹き出させる指示を副制御部８Ａに送信する。
【０１５０】
これにより、副制御部８Ａは、所定の出力でヒータ２３Ｈを駆動すると共に、ファンモータ２５ａを駆動することで、加湿装置２Ａでは、出力を低下させて吹出グリル２７ｂから蒸気Ｖが吹き出される。
【０１５１】
なお以上の例では、温度検知センサ３８ａで検知された浴室１０１の温度が設定温度より高い場合、温度差によらず、加湿装置２Ａによる蒸気Ｖの吹き出しを停止して、浴室１０１の温度を低下させるようにしても良い。
【０１５２】
また、加湿装置２Ａによる蒸気加湿運転中に、入浴者により図６に示す副操作部６Ａのミストボタン６０Ｍが操作されると、主制御部７Ａは、蒸気Ｖの吹き出しを停止させると共に、ミストＭを噴出させる指示を副制御部８Ａに送信する。また、浴室空調装置３Ａのファンモータ３３ａを駆動してファン３３を回転させると共に、ヒータ３２に通電する。
【０１５３】
これにより、浴室空調装置３Ａでは、温風ＨＡが吹出グリル３７ｂから吹き出されて、浴室１０１内が暖房される。また、加湿装置２Ａは、蒸気Ｖの吹き出しが停止されて、ミストノズル２０ＭからミストＭが噴出される。
【０１５４】
上述したように、加湿暖房運転モードでは、まず、加湿装置２ＡでミストＭを噴出しながら、浴室空調装置３Ａで温風ＨＡを吹き出すことで、浴室１０１が加湿暖房されて、短時間で所定の高湿な状態とすることができる。
【０１５５】
また、入浴中は、加湿装置２Ａで蒸気Ｖの吹き出しによる蒸気加湿を行うことで、温度低下を抑えながら、浴室１０１内を所定の高湿の状態に保つことができる。更に、蒸気により浴室１０１が加湿されるので、入浴者の体が蒸気によっては濡れず、発汗効果を体感できるようになる。
【０１５６】
また、蒸気加湿運転中は、浴室空調装置３Ａを停止させることで、静音化を図ることができる。なお、加湿装置２Ａにも送風ファン部２１が備えられているが、浴室空調装置３Ａに比較すると風量が小さいので、ファンを駆動することによる騒音の発生は抑えられている。また、加湿装置２Ａのヒータ２３Ｈと浴室空調装置３Ａのヒータ３２が同時に駆動されないことで、消費電力を抑えることができると共に、消費電力を抑えることで、設置可能な住宅の制約を減らすことができる。
【０１５７】
更に、入浴者が浴室１０１内の副操作部６Ａを制御することで、設定温度の変更が可能で、入浴中に、浴室１０１内を所望の温度に変更することができる。このとき、設定温度と浴室１０１内の実際の温度差が所定の暖房運転切換温度より小さい場合は、加湿装置２Ａでの蒸気出力の変更で対応することで、騒音の発生を防ぐことができる。また、温度差が大きい場合は、浴室空調装置３Ａでの暖房運転を再開することで、浴室１０１内の温度を短時間で上げることができる。
【０１５８】
また、入浴者が浴室１０１内の副操作部６Ａを制御することで、ミストＭと蒸気Ｖの吹き出しを切り換えることができるので、浴室１０１内に居る入浴者が、嗜好に応じて加湿方式を選択できる。
【０１５９】
図９及び図１０は、本実施の形態の加湿空調システムで実行される加湿暖房運転モードの第２の動作例を示すフローチャートで、次に、各図を参照して、ミストＭの噴出と蒸気Ｖの吹き出しを自動で切り換える加湿暖房運転モードの動作について説明する。
【０１６０】
ステップＳＢ１：入浴者等は、浴室１０１を加湿暖房するため、洗面脱衣所１０２に設置された主操作部５Ａの所定の操作ボタン５０を操作して、加湿暖房運転モードを選択する。
【０１６１】
ステップＳＢ２：入浴者等は、主操作部５Ａの設定ボタン５１を操作して、浴室１０１内の温度設定を行う。なお、温度設定の操作が行われない場合は、前回運転時の設定温度を利用する。
【０１６２】
ステップＳＢ３：加湿暖房運転モードが選択されると、主制御部７Ａは、浴室空調装置３Ａのダンパモータ３５ｃを駆動してダンパ３５を図３（ａ）に示す循環位置に移動させ、ファンモータ３３ａを駆動してファン３３を回転させると共に、ヒータ３２に通電する。
【０１６３】
これにより、浴室空調装置３Ａでは、フロントパネル３７の吸込グリル３７ａから浴室１０１内の空気ＲＡが吸い込まれ、温風ＨＡが吹出グリル３７ｂから吹き出されて、浴室１０１内が暖房される。
【０１６４】
ステップＳＢ４：主制御部７Ａは、浴室空調装置３Ａで暖房運転を行って、浴室１０１の暖房を開始すると、温度検知センサ３８ａで浴室１０１の温度を検知する。
【０１６５】
ステップＳＢ５：主制御部７Ａは、温度検知センサ３８ａで検知された浴室１０１の温度が、所定のミスト噴出適合室温、本例では３０℃になったか否か判断する。
【０１６６】
ステップＳＢ６：主制御部７Ａは、温度検知センサ３８ａで検知された浴室１０１の温度が、所定のミスト噴出適合室温になると、浴室空調装置３Ａでの暖房運転を継続すると共に、ミストＭを噴出させる指示を副制御部８Ａに送信する。
【０１６７】
ステップＳＢ７：副制御部８Ａは、ミストＭを噴出する指示を主制御部７Ａから受信すると、加湿装置２Ａの給水バルブ２２ｍｂを開く。これにより、給湯装置４からミストノズル２０Ｍに湯ＨＷが供給され、加湿装置２Ａは、ミストノズル２０ＭからミストＭが噴出される。
【０１６８】
このように、加湿暖房運転モードでは、まず、浴室空調装置３Ａで温風ＨＡを吹き出して、浴室１０１の暖房を開始した後、温度検知センサ３８ａで検知された浴室１０１の温度が所定のミスト噴出適合室温に上昇してから、ミストＭの噴出を開始する制御を行うことで、浴室１０１の温度を短時間で上げることができる。
【０１６９】
また、加湿装置２Ａでミストノズル２０ＭからミストＭを噴出しながら、浴室空調装置３Ａで温風ＨＡを吹き出すことで、浴室１０１が加湿暖房されて、短時間で所定の高湿な状態となる。
【０１７０】
ステップＳＢ８：主制御部７Ａは、加湿装置２ＡでのミストＭの噴出と、浴室空調装置３Ａでの暖房運転を連動させて、浴室１０１の加湿暖房を開始すると、温度検知センサ３８ａで浴室１０１の温度を検知し、温度検知センサ３８ａで検知された浴室１０１の温度が、設定温度になったか否か判断する。
【０１７１】
ステップＳＢ９：主制御部７Ａは、温度検知センサ３８ａで検知された浴室１０１の温度が、所定の設定温度になると、蒸気加湿運転に移行するため、ヒータ３２の通電を停止すると共に、ファンモータ３３ａの駆動を停止して、浴室空調装置３Ａによる暖房運転を停止する。
【０１７２】
ステップＳＢ１０：主制御部７Ａは、加湿暖房運転モードで蒸気加湿運転に移行すると、所定の出力で蒸気Ｖを吹き出させる指示を副制御部８Ａに送信する。
【０１７３】
副制御部８Ａは、蒸気Ｖを吹き出す指示を主制御部７Ａから受信すると、加湿部２０Ｈのヒータ２３Ｈを駆動すると共に、送風ファン部２１のファンモータ２５ａを駆動する。
【０１７４】
これにより、水槽２２Ａに貯水された湯ＨＷを加熱して発生させた蒸気Ｖが、ファン２５が回転駆動されることで吸込グリル２７ａから吸い込まれて循環される浴室１０１の空気ＲＡに送風されて、加湿装置２Ａは、吹出グリル２７ｂから蒸気Ｖが吹き出される。
【０１７５】
ステップＳＢ１１：主制御部７Ａは、加湿暖房運転モードで蒸気加湿運転に移行すると、ミストＭの噴出を停止させる指示を副制御部８Ａに送信する。副制御部８Ａは、ミストＭの噴出を停止する指示を主制御部７Ａから受信すると、加湿装置２Ａの給水バルブ２２ｍｂを閉じる。これにより、給湯装置４からミストノズル２０Ｍへの湯ＨＷの供給が停止され、加湿装置２ＡからのミストＭの噴出は停止する。
【０１７６】
ステップＳＢ１２：主制御部７Ａは、加湿暖房運転モードで蒸気加湿運転に移行すると、図１に示す洗面脱衣所１０２に設置された主操作部５Ａや、浴室１０１に設置された副操作部６Ａに備えられる図示しないブザーによる音出力や、ＬＥＤ等の点灯等による報知手段により、ミスト浴の準備が完了したことを入浴者等に通知する。
【０１７７】
ステップＳＢ１３：主制御部７Ａは、加湿装置２ＡでミストＭに換えて蒸気Ｖを吹き出して、蒸気加湿運転を開始すると、温度検知センサ３８ａで浴室１０１の温度を検知する。
【０１７８】
ステップＳＢ１４：主制御部７Ａは、温度検知センサ３８ａで検知された浴室１０１の温度と設定温度の大小を判断する。
【０１７９】
ステップＳＢ１５：主制御部７Ａは、温度検知センサ３８ａで検知された浴室１０１の温度が設定温度より低いと判断すると、温度検知センサ３８ａで検知された浴室１０１の温度と設定温度との温度差が、所定の暖房運転切換温度差であるか判断する。例えば、設定温度との温度差が−１℃以下か否か判断する。
【０１８０】
ステップＳＢ１６：主制御部７Ａは、温度検知センサ３８ａで検知された浴室１０１の温度が設定温度より低く、温度検知センサ３８ａで検知された浴室１０１の温度と設定温度との温度差が、所定の暖房運転切換温度差以下、例えば−１℃以下であると判断すると、温度差に応じて蒸気Ｖの出力を制御する指示を副制御部８Ａに送信する。
【０１８１】
副制御部８Ａは、温度検知センサ３８ａで検知された浴室１０１の温度と設定温度との温度差に応じて蒸気Ｖの出力を制御する指示を主制御部７Ａから受信すると、検知された温度差に応じてヒータ２３Ｈの出力を変更する。
【０１８２】
例えば、ヒータ２３Ｈの出力を最小で１５００Ｗ、最大で３０００Ｗとして、温度差が大きくなるとヒータ２３Ｈの出力を増加し、温度差が少なくなるとヒータ２３Ｈの出力を低下させる制御が行われる。
【０１８３】
ステップＳＢ１７：主制御部７Ａは、入浴者が図６に示す副操作部６Ａの設定ボタン６１を操作することによる、設定温度の変更を受ける。変更された設定温度は、図示しないメモリに記憶され、上述したステップＳＢ１３からの制御で、浴室１０１内の温度を設定温度にする。
【０１８４】
ステップＳＢ１８：主制御部７Ａは、温度検知センサ３８ａで検知された浴室１０１の温度が設定温度より低く、温度検知センサ３８ａで検知された浴室１０１の温度と設定温度との温度差が、所定の暖房運転切換温度差より大きい、例えば温度差が−１℃より大きいと判断すると、蒸気Ｖの吹き出しを停止させる指示を副制御部８Ａに送信する。
【０１８５】
副制御部８Ａは、蒸気Ｖの吹き出しを停止する指示を主制御部７Ａから受信すると、ヒータ２３Ｈの駆動を停止する。これにより、加湿装置２Ａからの蒸気Ｖの吹き出しが停止する。
【０１８６】
ステップＳＢ１９：主制御部７Ａは、温度検知センサ３８ａで検知された浴室１０１の温度が設定温度より低く、温度検知センサ３８ａで検知された浴室１０１の温度と設定温度との温度差が、所定の暖房運転切換温度差より大きいと判断すると、浴室空調装置３Ａのファンモータ３３ａを駆動してファン３３を回転させると共に、ヒータ３２に通電する。
【０１８７】
これにより、浴室空調装置３Ａでは、フロントパネル３７の吸込グリル３７ａから浴室１０１内の空気ＲＡが吸い込まれ、温風ＨＡが吹出グリル３７ｂから吹き出されて、浴室空調装置３Ａによる浴室１０１内の暖房が再開される。
【０１８８】
ステップＳＢ２０：主制御部７Ａは、浴室空調装置３Ａで温風ＨＡを吹き出して、暖房運転を再開すると、温度検知センサ３８ａで浴室１０１の温度を検知する。
【０１８９】
ステップＳＢ２１：主制御部７Ａは、温度検知センサ３８ａで検知された浴室１０１の温度と設定温度との温度差が、所定の暖房運転切換温度差以下であるか判断する。
【０１９０】
ステップＳＢ２２：主制御部７Ａは、温度検知センサ３８ａで検知された浴室１０１の温度と設定温度との温度差が、所定の暖房運転切換温度差以下であると判断すると、上述したステップＳＢ１６の処理へ移行し、温度差に応じて蒸気Ｖの出力を制御する指示を副制御部８Ａに送信する。
【０１９１】
これにより、副制御部８Ａは、所定の出力でヒータ２３Ｈを駆動すると共に、ファンモータ２５ａを駆動することで、加湿装置２Ａでは、浴室１０１の温度に応じた出力で、吹出グリル２７ｂから蒸気Ｖが吹き出される。
【０１９２】
ステップＳＢ２３：主制御部７Ａは、温度検知センサ３８ａで検知された浴室１０１の温度が設定温度より高いと判断すると、温度検知センサ３８ａで検知された浴室１０１の温度と設定温度との温度差が、所定の暖房運転切換温度差であるか判断する。例えば、設定温度との温度差が＋１℃以下か否か判断する。
【０１９３】
ステップＳＢ２４：主制御部７Ａは、温度検知センサ３８ａで検知された浴室１０１の温度が設定温度より高く、温度検知センサ３８ａで検知された浴室１０１の温度と設定温度との温度差が、所定の暖房運転切換温度差以下、例えば＋１℃以下であると判断すると、蒸気Ｖの出力を低下させる指示を副制御部８Ａに送信する。
【０１９４】
副制御部８Ａは、蒸気Ｖの出力を低下させる指示を主制御部７Ａから受信すると、ヒータ２３Ｈの出力を変更する。例えば、ヒータ２３Ｈの出力を１５００Ｗに低下させる制御が行われる。
【０１９５】
ステップＳＢ２５：主制御部７Ａは、温度検知センサ３８ａで検知された浴室１０１の温度が設定温度より高く、温度検知センサ３８ａで検知された浴室１０１の温度と設定温度との温度差が、所定の暖房運転切換温度差より大きい、例えば温度差が＋１℃より大きいと判断すると、蒸気Ｖの吹き出しを停止させる指示を副制御部８Ａに送信する。
【０１９６】
副制御部８Ａは、蒸気Ｖの吹き出しを停止する指示を主制御部７Ａから受信すると、ヒータ２３Ｈの駆動を停止する。これにより、加湿装置２Ａからの蒸気Ｖの吹き出しが停止する。
【０１９７】
ステップＳＢ２６：主制御部７Ａは、加湿装置２Ａからの蒸気Ｖの吹き出しを停止すると、温度検知センサ３８ａで浴室１０１の温度を検知する。
【０１９８】
ステップＳＢ２７：主制御部７Ａは、温度検知センサ３８ａで検知された浴室１０１の温度と設定温度との温度差が、所定の暖房運転切換温度差以下であるか判断する。
【０１９９】
ステップＳＢ２８：主制御部７Ａは、温度検知センサ３８ａで検知された浴室１０１の温度と設定温度との温度差が、所定の暖房運転切換温度差以下であると判断すると、上述したステップＳＢ２４の処理へ移行し、出力を低下させて蒸気Ｖを吹き出させる指示を副制御部８Ａに送信する。
【０２００】
これにより、副制御部８Ａは、所定の出力でヒータ２３Ｈを駆動すると共に、ファンモータ２５ａを駆動することで、加湿装置２Ａでは、出力を低下させて吹出グリル２７ｂから蒸気Ｖが吹き出される。
【０２０１】
上述したように、第２の動作例の加湿暖房運転モードでは、加湿装置２ＡでミストＭを噴出しながら、浴室空調装置３Ａで温風ＨＡを吹き出して浴室１０１の加湿暖房を行い、浴室１０１の室温が設定温度に到達すると、加湿装置２Ａで蒸気Ｖを吹き出す蒸気加湿運転に切り換えられることで、浴室１０１内が入浴に適した状態となると、入浴者の操作によらず、蒸気加湿運転に自動的に切り換えることができる。
【０２０２】
また、加湿暖房で浴室１０１が入浴に適した状態となったことを報知する手段を備えることで、入浴者は、浴室１０１が入浴に適した状態となったか否かを認識することができる。
【０２０３】
＜本実施の形態の加湿装置の変形例＞
図１１は、本実施の形態の加湿空調システムを構成する第２の実施の形態の加湿装置の一例を示す構成図である。ここで、第２の実施の形態の加湿装置２Ｂにおいて、図２で説明した第１の実施の形態の加湿装置２Ａと同じ構成の部位については、同じ番号を付して説明する。
【０２０４】
第２の実施の形態の加湿装置２Ｂは、蒸気Ｖを発生させる加湿部２０Ｈと、浴室１０１から吸い込んだ空気ＲＡを循環させて蒸気Ｖを送風して吹き出させる送風ファン部２１と、湯または水の供給を受けて、ミストＭを噴出するミストノズル２０Ｍとを備える。
【０２０５】
また、加湿装置２Ｂは、ミストノズル２０Ｍと加湿部２０Ｈを構成する水槽２２Ｂに給湯（給水）を行う給水機構２２ｓと、水槽２２Ｂの排水を行う排水機構２２ｅと、水槽２２Ｂ内の水位を検出する水位センサ２２ｗを備える。
【０２０６】
加湿部２０Ｈは蒸気加湿手段の一例で、水槽２２Ｂに貯水された湯ＨＷを加熱して蒸気Ｖを発生させる水加熱手段としてのヒータ２３Ｈと、送風ファン部２１で循環させる空気が通る風路を形成し、ヒータ２３Ｈの動作で発生させた蒸気Ｖが送風される加湿風路２４とを備える。
【０２０７】
水槽２２Ｂは、内部にヒータ２３Ｈを備えた加熱室２８Ｈと、加熱室２８Ｈとの間が下部に流路が形成される仕切り板２８Ｐで仕切られ、給水機構２２ｓにより給湯される給湯室２８Ｓを備える。
【０２０８】
水槽２２Ｂは、加湿風路２４に面して加熱室２８Ｈの上部に開口を有し、水槽２２Ｂに貯水された湯ＨＷをヒータ２３Ｈで加熱することで蒸気Ｖを発生させて、水槽２２Ａの上部の加湿風路２４へ拡散させる。
【０２０９】
送風ファン部２１は、ファンモータ２５ａに回転駆動される多翼のファン２５と、風路を形成するファンケース２６を備え、ファン２５が回転駆動されると、ファンケース２６のファン吸込口２６ａから吸い込まれた空気が加湿風路２４に吹き出され、水槽２２Ｂに貯水された湯ＨＷをヒータ２３Ｈで加熱することで発生させた蒸気Ｖを送風する。
【０２１０】
給水機構２２ｓは、水槽２２Ｂの給湯室２８Ｓの上部に給水口２２ｓｗが備えられ、分岐した一方の給水配管２２ｓｐが給水口２２ｓｗに接続されると共に、分岐した他方の給水配管２２ｓｐが、ミストノズル２０Ｍと接続される。
【０２１１】
また、給水機構２２ｓは、給水口２２ｓｗと接続された一方の給水配管２２ｓｐに給水バルブ２２ｓｂを備えると共に、ミストノズル２０Ｍと接続された他方の給水配管２２ｓｐに給水バルブ２２ｍｂを備える。
【０２１２】
更に、給水機構２２ｓは、給水配管２２ｓｐが図１に示す給湯装置４と接続される。これにより、給水バルブ２２ｍｂを開くと、ミストノズル２０Ｍに湯ＨＷが供給され、ミストノズル２０ＭからミストＭが噴出される。また、給水バルブ２２ｓｂを開くと、給水口２２ｓｗに湯ＨＷが供給され、水槽２２Ｂの給水室２８Ｓに湯ＨＷが供給される。
【０２１３】
排水機構２２ｅは、水槽２２Ｂの底面に備えられた排水口２２ｅｗに排水配管２２ｅｐが接続され、排水配管２２ｅｐに排水ＥＷの排出の有無を切り換える排水バルブ２２ｅｂを備える。
【０２１４】
水位センサ２２ｗは、水槽２２Ｂの給水室２８Ｓ内にフロートを備え、フロートの位置で水槽２２Ｂの水位を検出する。ここで、給水室２８Ｓと加熱室２８Ｈは下部でつながっており、給水室２８Ｓと加熱室２８Ｈの水位は同じである。
【０２１５】
加湿装置２Ｂは、下面にフロントパネル２７を備える。フロントパネル２７は、送風ファン部２１のファン吸込口２６ａとつながる吸込グリル２７ａと、加湿風路２４とつながる吹出グリル２７ｂを備えると共に、ミストノズル２０Ｍを露出させる開口部を備える。
【０２１６】
これにより、加湿装置２Ｂは、加湿部２０Ｈと送風ファン部２１が駆動されると、吸込グリル２７ａから空気ＲＡが吸い込まれ、加湿風路２４に発生させた蒸気Ｖが吸込グリル２７ａから吸い込まれた空気で送風されて、吹出グリル２７ｂから吹き出される。
【０２１７】
なお、加湿装置２Ｂでは、水位センサ２２ｗの出力を監視し、水槽２２Ｂ内の水位が所定位置となるように、給水バルブ２２ｓｂの開閉による給湯と、排水バルブ２２ｅｂの開閉による排水が行われる。
【０２１８】
ここで、水槽２２Ｂにおいて、ヒータ２３Ｈを備えた加熱室２８Ｈと、給水機構２２ｓにより給湯が行われる給水室２８Ｓは、仕切り板２８Ｐで仕切られている。これにより、給水機構２２ｓで水槽２２Ｂに給湯を行った際に、加熱室２８Ｈ側の温度低下が抑制され、上述した加湿暖房運転モード実行中に給湯を行っても、蒸気Ｖの温度低下を抑制することができる。
【０２１９】
図１２は、本実施の形態の加湿空調システムを構成する第３の実施の形態の加湿装置の一例を示す構成図である。ここで、第３の実施の形態の加湿装置２Ｃにおいて、図２で説明した第１の実施の形態の加湿装置２Ａと同じ構成の部位については、同じ番号を付して説明する。
【０２２０】
第３の実施の形態の加湿装置２Ｃは、蒸気Ｖを発生させる加湿部２０Ｈと、浴室１０１から吸い込んだ空気ＲＡを循環させて蒸気Ｖを送風して吹き出させる送風ファン部２１と、湯または水の供給を受けて、ミストＭを噴出するミストノズル２０Ｍとを備える。
【０２２１】
また、加湿装置２Ｂは、ミストノズル２０Ｍと加湿部２０Ｈを構成する水槽２２Ｃに給湯（給水）を行う給水機構２２ｓと、水槽２２Ｂの排水を行う排水機構２２ｅとを備える。
【０２２２】
加湿部２０Ｈは蒸気加湿手段の一例で、水槽２２Ｃに貯水された湯ＨＷを加熱して蒸気Ｖを発生させる水加熱手段としてのヒータ２３Ｈと、送風ファン部２１で循環させる空気が通る風路を形成し、ヒータ２３Ｈの動作で発生させた蒸気Ｖが送風される加湿風路２４とを備える。
【０２２３】
水槽２２Ｃは、内部にヒータ２３Ｈを備えた加熱室２８Ｈと、加熱室２８Ｈとの間が下部に流路が形成される仕切り板２８Ｐで仕切られ、給水機構２２ｓにより給湯される給湯室２８Ｓを備える。
【０２２４】
水槽２２Ｂは、加湿風路２４に面して加熱室２８Ｈの上部に開口を有し、水槽２２Ｂに貯水された湯ＨＷをヒータ２３Ｈで加熱することで蒸気Ｖを発生させて、水槽２２Ａの上部の加湿風路２４へ拡散させる。
【０２２５】
送風ファン部２１は、ファンモータ２５ａに回転駆動される多翼のファン２５と、風路を形成するファンケース２６を備え、ファン２５が回転駆動されると、ファンケース２６のファン吸込口２６ａから吸い込まれた空気が加湿風路２４に吹き出され、水槽２２Ｂに貯水された湯ＨＷをヒータ２３Ｈで加熱することで発生させた蒸気Ｖを送風する。
【０２２６】
給水機構２２ｓは、水槽２２Ｂの給湯室２８Ｓの上部に給水口２２ｓｗが備えられ、分岐した一方の給水配管２２ｓｐが給水口２２ｓｗに接続されると共に、分岐した他方の給水配管２２ｓｐが、ミストノズル２０Ｍと接続される。
【０２２７】
また、給水機構２２ｓは、給水口２２ｓｗと接続された一方の給水配管２２ｓｐにニードルバルブ２２ｎｂと流量センサ２９を備えると共に、ミストノズル２０Ｍと接続された他方の給水配管２２ｓｐに給水バルブ２２ｍｂを備える。
【０２２８】
更に、給水機構２２ｓは、給水配管２２ｓｐが図１に示す給湯装置４と接続される。これにより、給水バルブ２２ｍｂを開くと、ミストノズル２０Ｍに湯ＨＷが供給され、ミストノズル２０ＭからミストＭが噴出される。また、ニードルバルブ２２ｎｂを開くと、バルブの開度に応じた量の湯ＨＷが給水口２２ｓｗに供給され、水槽２２Ｃの給水室２８Ｓに湯ＨＷが供給される。
【０２２９】
排水機構２２ｅは、水槽２２Ｃの底面に備えられた排水口２２ｅｗに排水配管２２ｅｐが接続され、排水配管２２ｅｐに排水ＥＷの排出の有無を切り換える排水バルブ２２ｅｂを備える。
【０２３０】
加湿装置２Ｃは、下面にフロントパネル２７を備える。フロントパネル２７は、送風ファン部２１のファン吸込口２６ａとつながる吸込グリル２７ａと、加湿風路２４とつながる吹出グリル２７ｂを備えると共に、ミストノズル２０Ｍを露出させる開口部を備える。
【０２３１】
これにより、加湿装置２Ｃは、加湿部２０Ｈと送風ファン部２１が駆動されると、吸込グリル２７ａから空気ＲＡが吸い込まれ、加湿風路２４に発生させた蒸気Ｖが吸込グリル２７ａから吸い込まれた空気で送風されて、吹出グリル２７ｂから吹き出される。
【０２３２】
図１３は、加湿暖房運転モード時の第３の実施の形態の加湿装置の動作例を示すフローチャートで、各図を参照して、第３の実施の形態の加湿装置２Ｃにおける給湯制御について説明する。
【０２３３】
ステップＳＣ１：加湿暖房運転モードで、上述したように蒸気加湿運転が選択されると、加湿部２０Ｈのヒータ２３Ｈを駆動すると共に、送風ファン部２１のファンモータ２５ａを駆動する。
【０２３４】
これにより、水槽２２Ｃに貯水された湯ＨＷを加熱して発生させた蒸気Ｖが、ファン２５が回転駆動されることで吸込グリル２７ａから吸い込まれて循環される空気ＲＡに送風されて、加湿装置２Ｃは吹出グリル２７ａから蒸気Ｖが吹き出される。
【０２３５】
ステップＳＣ２：蒸気加湿運転では、ヒータ２３Ｈの出力が検知される。
【０２３６】
ステップＳＣ３：加湿装置２Ｃでは、ヒータ２３Ｈの出力に応じて蒸気Ｖが発生することによる水槽２２Ｃでの水位の減少量から、所定の水位を維持するための連続給水量が予め設定され、検知されたヒータ２３Ｈの出力から、所定の連続給水量が決定される。
【０２３７】
ステップＳＣ４：加湿装置２Ｃでは、給水口２２ｓｗから水槽２２Ｃに供給される湯ＨＷの流量を流量センサ２０で検知しながら、ニードルバルブ２２ｎｂの開度を制御して、所定の給水量で水槽２２Ｃに連続給湯を行う。
【０２３８】
ステップＳＣ５：加湿装置２Ｃでは、ヒータ２３Ｈの出力が変更されたか判断する。すなわち、加湿暖房運転モードにおける蒸気加湿運転では、上述したように、図１に示す浴室１０１の室温に応じて、ヒータ２３Ｈの出力が制御されるので、ヒータ２３Ｈの出力が変更されると、ヒータ２３Ｈの出力が検知され、給水量が決定されて、水槽２２Ｃへの連続給水が行われる。
【０２３９】
これにより、ヒータ２３Ｈの出力が高い場合は給水量を増やし、ヒータ出力が低い場合は給水量を減らすことで、水位を維持しながら、水槽２２Ｃ内を沸騰状態で維持することができ、浴室内の温度を略一定にすることができる。
【０２４０】
図１４は、本実施の形態の加湿空調システムを構成する第４の実施の形態の加湿装置の一例を示す構成図である。ここで、第４の実施の形態の加湿装置２Ｄにおいて、図２で説明した第１の実施の形態の加湿装置２Ａと同じ構成の部位については、同じ番号を付して説明する。
【０２４１】
第４の実施の形態の加湿装置２Ｄは、蒸気Ｖを発生させる加湿部２０Ｈと、浴室１０１から吸い込んだ空気ＲＡを循環させて蒸気Ｖを送風して吹き出させる送風ファン部２１と、湯または水の供給を受けて、ミストＭを噴出するミストノズル２０Ｍとを備える。
【０２４２】
また、加湿装置２Ｄは、ミストノズル２０Ｍと加湿部２０Ｈを構成する水槽２２Ｄに給湯（給水）を行う給水機構２２ｓと、水槽２２Ｄの排水を行う排水機構２２ｅと、水槽２２Ｄ内の水位を検出する水位センサ２２ｗを備える。
【０２４３】
加湿部２０Ｈは蒸気加湿手段の一例で、水槽２２Ｄに貯水された湯ＨＷを加熱して蒸気Ｖを発生させる水加熱手段としてのヒータ２３Ｈと、送風ファン部２１で循環させる空気が通る風路を形成し、ヒータ２３Ｈの動作で発生させた蒸気Ｖが送風される加湿風路２４とを備える。
【０２４４】
水槽２２Ｄは、内部にヒータ２３Ｈを備えた加熱室２８Ｈと、加熱室２８Ｈとの間が下部に流路が形成される仕切り板２８Ｐで仕切られ、給水機構２２ｓにより給湯される給湯室２８Ｓを備える。
【０２４５】
水槽２２Ｄは、加湿風路２４に面して加熱室２８Ｈの上部に開口を有し、水槽２２Ｄに貯水された湯ＨＷをヒータ２３Ｈで加熱することで蒸気Ｖを発生させて、水槽２２Ａの上部の加湿風路２４へ拡散させる。
【０２４６】
ヒータ２３Ｈは、水槽２２Ｄに貯水される湯ＨＷの水面近くに配置されるように、水槽２２Ｄの上部寄り位置に取り付けられる。例えば、水槽２２Ｄに貯水される湯ＨＷの水位が最大で１００ｍｍ程度とした場合、水面から約２０ｍｍ下側の加熱室２８Ｈの側面にヒータ２３Ｈが取り付けられる。
【０２４７】
送風ファン部２１は、ファンモータ２５ａに回転駆動される多翼のファン２５と、風路を形成するファンケース２６を備え、ファン２５が回転駆動されると、ファンケース２６のファン吸込口２６ａから吸い込まれた空気が加湿風路２４に吹き出され、水槽２２Ｄに貯水された湯ＨＷをヒータ２３Ｈで加熱することで発生させた蒸気Ｖを送風する。
【０２４８】
給水機構２２ｓは、水槽２２Ｄの給湯室２８Ｓの上部に給水口２２ｓｗが備えられ、分岐した一方の給水配管２２ｓｐが給水口２２ｓｗに接続されると共に、分岐した他方の給水配管２２ｓｐが、ミストノズル２０Ｍと接続される。
【０２４９】
また、給水機構２２ｓは、給水口２２ｓｗと接続された一方の給水配管２２ｓｐに給水バルブ２２ｓｂを備えると共に、ミストノズル２０Ｍと接続された他方の給水配管２２ｓｐに給水バルブ２２ｍｂを備える。
【０２５０】
更に、給水機構２２ｓは、給水配管２２ｓｐが図１に示す給湯装置４と接続される。これにより、給水バルブ２２ｍｂを開くと、ミストノズル２０Ｍに湯ＨＷが供給され、ミストノズル２０ＭからミストＭが噴出される。また、給水バルブ２２ｓｂを開くと、給水口２２ｓｗに湯ＨＷが供給され、水槽２２Ｄの給水室２８Ｓに湯ＨＷが供給される。
【０２５１】
排水機構２２ｅは、水槽２２Ｄの底面に備えられた排水口２２ｅｗに排水配管２２ｅｐが接続され、排水配管２２ｅｐに排水ＥＷの排出の有無を切り換える排水バルブ２２ｅｂを備える。
【０２５２】
水位センサ２２ｗは、水槽２２Ｄの給水室２８Ｓ内にフロートを備え、フロートの位置で水槽２２Ｄの水位を検出する。ここで、給水室２８Ｓと加熱室２８Ｈは下部でつながっており、給水室２８Ｓと加熱室２８Ｈの水位は同じである。
【０２５３】
加湿装置２Ｄは、下面にフロントパネル２７を備える。フロントパネル２７は、送風ファン部２１のファン吸込口２６ａとつながる吸込グリル２７ａと、加湿風路２４とつながる吹出グリル２７ｂを備えると共に、ミストノズル２０Ｍを露出させる開口部を備える。
【０２５４】
これにより、加湿装置２Ｄは、加湿部２０Ｈと送風ファン部２１が駆動されると、吸込グリル２７ａから空気ＲＡが吸い込まれ、加湿風路２４に発生させた蒸気Ｖが吸込グリル２７ａから吸い込まれた空気で送風されて、吹出グリル２７ｂから吹き出される。
【０２５５】
上述したように、ヒータ２３Ｈを水槽２２Ｄ内に貯水された湯ＨＷの水面近くに配置すると、ヒータ２３Ｈで湯ＨＷを加熱した際に、給湯室２８Ｈの水面近くでは対流が発生するが、水槽２２Ｄの底部から給湯室２８Ｈに流れ込む温度の低い湯ＨＷが対流しない。これにより、水槽２２Ｄで蒸気Ｖを発生させる給湯室２８Ｈは、水面側は常に沸騰状態を維持でき、浴室内の温度を略一定にすることができる。
【０２５６】
但し、加湿装置２Ｄでは、ヒータ２３Ｈが水面近くに配置されるので、水位センサ２２ｗの出力を監視して、ヒータ２３Ｈが水面から露出しないように給湯制御が行われる。
【０２５７】
図１５は、加湿暖房運転モード時の第４の実施の形態の加湿装置の動作例を示すフローチャートで、各図を参照して、第４の実施の形態の加湿装置２Ｄにおける給湯制御について説明する。
【０２５８】
ステップＳＤ１：加湿暖房運転モードで、上述したように蒸気加湿運転が選択されると、加湿部２０Ｈのヒータ２３Ｈを駆動すると共に、送風ファン部２１のファンモータ２５ａを駆動する。
【０２５９】
これにより、水槽２２Ｄに貯水された湯ＨＷを加熱して発生させた蒸気Ｖが、ファン２５が回転駆動されることで吸込グリル２７ａから吸い込まれて循環される空気ＲＡに送風されて、加湿装置２Ｃは吹出グリル２７ａから蒸気Ｖが吹き出される。
【０２６０】
ステップＳＤ２：加湿装置２Ｄでは、水位センサ２２ｗの出力から、水槽２２Ｄ内の水位が所定の下限位置まで低下したか否かが判断される。
【０２６１】
ステップＳＤ３：加湿装置２Ｄでは、水位センサ２２ｗの出力から、水槽２２Ｄ内の水位が所定の下限位置まで低下したと判断すると、給水バルブ２２ｓｂを開く。これにより、給水口２２ｓｗに湯ＨＷが供給され、水槽２２Ｄの給水室２８Ｓに湯ＨＷが供給される。
【０２６２】
ステップＳＤ４：加湿装置２Ｄでは、水位センサ２２ｗの出力から、水槽２２Ｄ内の水位が所定の上限位置まで上昇したか否かが判断される。
【０２６３】
ステップＳＤ５：加湿装置２Ｄでは、水位センサ２２ｗの出力から、水槽２２Ｄ内の水位が所定の上限位置まで上昇したと判断すると、給水バルブ２２ｓｂを閉じる。
【０２６４】
以上の給湯制御により、ヒータ２３Ｈによる加熱で蒸気Ｖを発生させることによる蒸発分の湯ＨＷが補給され、ヒータ２３Ｈが水面から露出することを防ぐことができる。
【０２６５】
ここで、本例では、水槽２２Ｄ内における水位の上限位置は、ヒータ２３Ｈから２０ｍｍ程度とした。これにより、水槽２２Ｄの底部からの対流を発生させずに、水面側は常に沸騰状態を維持できる。
【０２６６】
また、水槽２２Ｄ内における水位の下限位置は、ヒータ２３Ｈから１０ｍｍ程度とした。これにより、水槽２２Ｄ内が沸騰状態となって、水位が変化しても、ヒータ２３Ｈが露出することを防ぐことができる。
【０２６７】
なお、運転停止中のメンテナンス等で、水槽２２Ｄ内の水を抜く必要がある場合は、排水バルブ２２ｅｂを開き、排水口２２ｅｗから水槽２２Ｄ内の水を排水する。
【産業上の利用可能性】
【０２６８】
本発明は、浴室やシャワー室等の加湿暖房を行う空調システムに適用される。
【図面の簡単な説明】
【０２６９】
【図１】本実施の形態の加湿空調システムの一例を示す全体構成図である。
【図２】本実施の形態の加湿空調システムを構成する第１の実施の形態の加湿装置の一例を示す構成図である。
【図３】本実施の形態の加湿空調システムを構成する浴室空調装置の一例を示す構成図である。
【図４】本実施の形態の加湿空調システムを構成する給湯装置の一例を示す構成図である。
【図５】本実施の形態の加湿空調システムの制御系の一例を示す機能ブロック図である。
【図６】本実施の形態の加湿空調システムで浴室に設置される副操作部の一例を示す構成図である。
【図７】本実施の形態の加湿空調システムで実行される加湿暖房運転モードの第１の動作例を示すフローチャートである。
【図８】本実施の形態の加湿空調システムで実行される加湿暖房運転モードの第１の動作例を示すフローチャートである。
【図９】本実施の形態の加湿空調システムで実行される加湿暖房運転モードの第２の動作例を示すフローチャートである。
【図１０】本実施の形態の加湿空調システムで実行される加湿暖房運転モードの第２の動作例を示すフローチャートである。
【図１１】本実施の形態の加湿空調システムを構成する第２の実施の形態の加湿装置の一例を示す構成図である。
【図１２】本実施の形態の加湿空調システムを構成する第３の実施の形態の加湿装置の一例を示す構成図である。
【図１３】加湿暖房運転モード時の第３の実施の形態の加湿装置の動作例を示すフローチャートである。
【図１４】本実施の形態の加湿空調システムを構成する第４の実施の形態の加湿装置の一例を示す構成図である。
【図１５】加湿暖房運転モード時の第４の実施の形態の加湿装置の動作例を示すフローチャートである。
【符号の説明】
【０２７０】
１Ａ・・・加湿空調システム、２（２Ａ，２Ｂ，２Ｃ，２Ｄ）・・・加湿装置、３Ａ・・・浴室空調装置、４・・・給湯装置、５Ａ・・・主操作部、６Ａ・・・副操作部、７Ａ・・・主制御部、８Ａ・・・副制御部、２０Ｍ・・・ミストノズル、２０Ｈ・・・加湿部、２３Ｈ・・・ヒータ、３２・・・ヒータ、３８ａ・・・温度検知センサ、１０１・・・浴室、１０２・・・洗面脱衣所
【図１】
2008164244.tif 000003
【図２】
2008164244.tif 000004
【図３】
2008164244.tif 000005
【図４】
2008164244.tif 000006
【図５】
2008164244.tif 000007
【図６】
2008164244.tif 000008
【図７】
2008164244.tif 000009
【図８】
2008164244.tif 000010
【図９】
2008164244.tif 000011
【図１０】
2008164244.tif 000012
【図１１】
2008164244.tif 000013
【図１２】
2008164244.tif 000014
【図１３】
2008164244.tif 000015
【図１４】
2008164244.tif 000016
【図１５】
2008164244.tif 000017